(57)【要約】【課題】パネル部のキーを押しやすくし、使い勝手を向上させること。【解決手段】原稿の画像を読み取る画像読取部と、記録媒体に画像を記録する画像記録部と、を備えた画像読取記録装置であって、種々のキー１２を有するパネル部１を有し、前記パネル部のキー１２のうち、装置のＯＮ／ＯＦＦを行う電源キー１２ｆがパネル部１の一方端部を形成し、読取や記録などの処理を開始させるスタートキー１２ｅがパネル部１の前記電源キー１２ｆとは反対側の他方端部を形成したことを特徴とする。【選択図】　　図１
2004082477.tif 000002
【特許請求の範囲】
【請求項１】
原稿の画像を読み取る画像読取部と、記録媒体に画像を記録する画像記録部と、を備えた画像読取記録装置であって、
種々のキーを有する操作部を有し、前記操作部のキーのうち、装置のＯＮ／ＯＦＦを行う電源キーが操作部の一方端部を形成し、読取や記録などの処理を開始させるスタートキーが操作部の前記電源キーとは反対側の他方端部を形成したことを特徴とする画像読取記録装置。
【請求項２】
前記操作部のキーのうち、電源キーとスタートキー以外のキーを、電源キーを押してからスタートキーを押すまでの一連の操作が操作部の一方端部から反対側の他方端部へ順に操作できるように、電源キーとスタートキーの間に配置したことを特徴とする請求項１に記載の画像読取記録装置。
【発明の詳細な説明】
【０００１】
【発明の属する技術分野】
本発明は、ファクシミリ、複写機、複合機などの画像読取記録装置に関するものである。
【０００２】
【従来の技術】
図１８に示すように、従来の画像読取記録装置６００では、操作部６１０に配置されたキーのうち、頻繁に使用する電源キー６１１とスタートキー６１２が、操作部６１０の略中央に配置されていた。また、前記電源キー６１１やスタートキー６１２以外の、コピー枚数や拡大・縮小等の種々設定を行うための各機能キー６１３は、前記電源キー６１１やスタートキー６１２に対して、操作部６１０の一方の側に配置されていた。
【０００３】
【発明が解決しようとする課題】
しかしながら、上記従来例では、電源キー６１１やスタートキー６１２などの頻繁に使うキーが操作部中央に並べて配置されているため、各キーが小さく押しづらいという不具合があった。また、電源立ち上げからスタートまでのキー操作は、電源キー６１１を押し、多数のキー６１３を用いて種々の設定を行った後、スタートキー６１２を押すこととなるため、電源立ち上げからスタートまでのキー操作が一連でなく、左右に行ったり来たりして使いづらかった。
【０００４】
そこで、本発明は上記課題に鑑みてなされたものであり、その目的とするところは、操作部のキーを押しやすくし、使い勝手を向上させることである。
【０００５】
【課題を解決するための手段】
上記目的を達成するための本発明の代表的な構成は、原稿の画像を読み取る画像読取部と、記録媒体に画像を記録する画像記録部と、を備えた画像読取記録装置であって、種々のキーを有する操作部を有し、前記操作部のキーのうち、装置のＯＮ／ＯＦＦを行う電源キーが操作部の一方端部を形成し、読取や記録などの処理を開始させるスタートキーが操作部の前記電源キーとは反対側の他方端部を形成したことを特徴とする。
【０００６】
上記構成によれば、頻繁に使う電源キーとスタートキーがそれぞれ操作部の端面を形成することにより、キーの面積を大きく取れるため、キーが押しやすくなり、使い勝手が飛躍的に向上する。
【０００７】
また、上記目的を達成するための本発明の他の構成は、上記構成に加えて、前記操作部のキーのうち、電源キーとスタートキー以外のキーを、電源キーを押してからスタートキーを押すまでの一連の操作が操作部の一方端部から反対側の他方端部へ順に操作できるように、電源キーとスタートキーの間に配置したことを特徴とする。
【０００８】
上記構成によれば、キー操作を電源立ち上げからスタートまで片側から反対側へ一連の操作でできるようにキー配置をすることによって、使い勝手が更に向上する。
【０００９】
【発明の実施の形態】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００１０】
〔第１実施形態〕
本発明に係る一実施形態である画像読取記録装置について図面を参照して説明する。図１は、本実施形態に係る画像読取記録装置の斜視図である。図２は、中央断面図である。本画像読取記録装置は、図１および図２に示すように、操作部としてのパネル部１、画像読取部２、記録部３、電気基板部４、カードスロット部５により構成されている。
【００１１】
まず、操作部としてのパネル部１について説明する。図３はパネル部の拡大斜視図、図４はパネル部周辺の部分断面図、図５はパネルユニットの裏面図である。
【００１２】
パネル部１は、構造として、パネルカバー１１に種々のキー１２がはまっており、パネル基板１６がネジ止めされている。なお、キー１２ａ、キー１２ｂ、キー１２ｃは、図示していない個所で一体的に構成されている。パネル基板１６上には、タクトスイッチ１９が各キー１２の下に半田付けされている。また、パネル基板１６上には、スペーサ１５を介して、ＬＣＤ１４が装着されている。このＬＣＤ１４の上にはＬＣＤ窓１３が取り付けてある。また、パネル基板１６の裏面には、電解コンデンサ１７が半田付けされている。
【００１３】
このパネル部１のキー１２のうち、頻繁に使用する電源キー１２ｆ、スタートキー１２ｅは、図３に示すように、それぞれパネル部１の端部を形成している。すなわち、装置のＯＮ／ＯＦＦを行う電源キー１２ｆでパネル部１の一方端部を形成し、読取や記録などの処理を開始させるスタートキー１２ｅで前記電源キー１２ｆとは反対側の他方端部を形成している。これにより、頻繁に使用するキー１２ｆ，１２ｅの面積を大きくとれ、該頻繁に使うキーが押しやすくなり、使い勝手が飛躍的に向上る。
【００１４】
更に、前記パネル部１のキー１２のうち、電源キー１２ｆとスタートキー１２ｅ以外のキー１２ａ〜１２ｄを、電源キー１２ｆを押してからスタートキー１２ｅを押すまでの一連の操作がパネル部１の一方端部から反対側の他方端部へ順に操作できるように、電源キー１２ｆとスタートキー１２ｅの間に配置している。これにより、電源立ち上げからスタートまでのキー操作を、パネル部１の片側から反対側へ一連の操作ででき、使い勝手が更に向上する。
【００１５】
次に、カードスロット部５について説明する。図１に示すように、カードスロット部５はパネル部１の下に配置されており、図１に示すように、装置本体の正面に配置されている。図６はパネル部１を取り外した時の図である。カードスロット部５は、カード基板５１、カードコネクタ部５２、イジェクトボタン５３で構成されている。装置本体上の挿入口５４からＰＣカードが挿入できるようになっている。また、挿入されたＰＣカードはイジェクトボタン５３を押すことにより、取り外しが出来る。このＰＣカードは、ＰＣＭＣＩＡの規格に準拠したカードのことであり、本実施形態では、コンパクトフラッシュ、スマートメディア、メモリースティック、ＳＤカードなどの各種メモリーカードを各メモリーカードに対応したアダプタを介したものを示している。
【００１６】
カードスロット部５は、デジタルカメラの画像等をＰＣカードを通じて、装置本体に読み込ませ、それらを記録部３から直接記録させること、また、パーソナルコンピュータ（以下、ＰＣという）と直接接続することによりメモリーカードをＰＣよりリード、ライトさせることができる。
【００１７】
次に画像読取部２の説明をする。図７は、原稿をセットする際の装置本体の説明図である。図７に示すように、画像読取部２には、突き当て基準白１２３が、原稿を裏向きにセットするガラス２３の上面から貼り付けてある。突き当て基準白１２３は、原稿の端部の突き当て部となると同時にガラス２３を通して裏側からの読み取りの絶対白基準となる役割がある。ガラス２３はカバー１２５により上から押えられている。原稿の浮きを押える圧板２１と、スポンジと白色シートで構成されている圧板白シート２２が、ヒンジ１２４ａ，１２４ｂを介して取り付けられている。
【００１８】
図８は図７からガラス２３、カバー１２５を外した状態で、画像読取部２の内部構造がわかるようにしたものである。これらの内部部品はすべてスキャナフレーム１２０に取り付けられている。画像を読み取るコンタクトセンサ（以下、ＣＩＳ）２４を保持しているＣＩＳホルダー２７が、軸２５の上をガイドされて動くようになっている。また、ＣＩＳホルダー２７はモータ２８（図１参照）を動力として、駆動ギア部１２２で減速され、タイミングベルト２６を介して駆動されている。タイミングベルト２６は駆動ギア部１２２の対向部にあるプーリ２９に掛けられている。これらの動作について説明すると、コピーやＰＣからのスキャン動作の時に、ＣＩＳ２４とＣＩＳホルダー２７が、図８の矢印Ａの方向に駆動され、ガラス２３を介して原稿の画像を読み取る。
【００１９】
次に、画像記録部３について説明する。図２で示すように、矢印Ｂの方向に記録媒体としての記録シート１００ａは搬送される。トレイなどを開いた状態にした外観図が図９であり、図２と合わせて説明すると、ＡＳＦベース３０と中板３６にセットされた記録シート１００ａの先端部は、記録シートトレイ３２と記録シート補助トレイ３１により保持されている。また、記録シート１００ａは左右方向（搬送方向と略直交する幅方向）にスライド可能なスライダー３３により端部をガイドされており、斜行等を防止している。記録シート補助トレイ３１は、ヒンジ部３１ａを中心に図２の矢印Ｃの方向に回転可能で、記録シートトレイ３２に収納できる。また、記録シートトレイ３２は、ヒンジ部３２ａを中心に図２の矢印Ｄの方向に回転可能であり、装置本体に突き当たるまで回転することができる。図１０がトレイを開いた状態の装置を背面側から見た外観図、図１１がトレイを閉じた状態の装置を背面側から外観図である。なお、記録シートトレイ３２の開閉は、図７の圧板２１の開閉とは干渉しないようになっており、お互いどの角度の状態であっても、開閉可能となっている。このように記録シートトレイ３２が折りたためることにより、通常使わない時は出っ張りがなくコンパクトにできるだけでなく、給送部等に埃等が入るのも防止することができる。
【００２０】
ＡＳＦベース３０と中板３６に積載された記録シート１００ａは、図示しないカムにより中板３６が押し上げられ、給送ローラ３４と分離ローラ３５により一枚に分離され給送される。この分離機構は、実際に駆動されるのは給送ローラ３４で、分離ローラ３５は回転方向に一定以上のトルクがかからないと回転しないようになっている。従って、複数枚の記録シートがこのローラ３４，３５間に入ったとき、記録シートを分離する力より、分離ローラ３５を回転させる力の方が強いので、一枚ずつ記録シートを搬送することができる。これらのローラで分離された記録シートは、搬送ローラ３７ａとピンチコロ３７ｂとの間に搬送され、一定速度でインクジェット記録部に搬送される。
【００２１】
図１２は装置の正面側からカートリッジドア１３３を開けた状態の斜視図である。インクジェット記録部には、記録ヘッドを一体的に構成しているカートリッジ３９、カラーインクタンク３８ａとブラックインクタンク３８ｂが装着されている。カートリッジ３９は、ガイドシャフト１３４にガイドされ、記録シートの送り方向に対して略直交する垂直方向に往復動することにより、記録シートに画像を記録する。画像を記録した記録シートは、排出ローラ対１３０により、記録シート排出トレイ１３１と、記録シート排出補助トレイ１３２に排出される。なお、カートリッジドア１３３を図１２の矢印Ｇの方向に開けることにより、通常、ユーザは外部から、インクタンク３８ａ，３８ｂを交換することが出来る。カートリッジドア１３３には、図１３に示すような突起部１３３ａがあり、ドア１３３の開閉に応じてアクチエータ１３５を押し、制御基板４１の裏に実装されているフォトインタラプタ４２を遮ったりして、カートリッジドア１３３の開閉を検知している。なお、通常、カートリッジ３９は、該カートリッジ３９のヘッド部が乾燥してしまうのを防止するために、図１２の右奥側に退避しているが、カートリッジドア１３３が開いたことを検知すると、ユーザがインクタンク３８を交換できる位置（図１２の位置）に移動する。
【００２２】
また、記録シート排出トレイ１３１および記録シート排出補助トレイ１３２は、記録を行っていないときは、記録シート排出補助トレイ１３２を図２の矢印Ｅの方向にスライドさせ、記録シート排出トレイ１３１の中に収納できる。さらに、記録シート排出トレイ１３１は図２の矢印Ｆの方向に閉じることができ、最終的には図１のような状態にすることができる。逆に、図１のような状態から、インクカートリッジ３８を交換するには、まず、図２の矢印Ｆと反対方向に記録シート排出トレイ１３１を開き、図９のような状態にし、さらに、カートリッジドア１３３を図１２の矢印Ｇ方向に開くことにより交換等のメンテナンスを行うことができる。このカートリッジドア１３３は、その開閉方向が記録シート排出トレイ１３１と異なり、図１２の矢印Ｇの方向（横方向）であるため、カートリッジ３９の手前側に操作スペースを広くとることが出来るメリットがある。
【００２３】
なお、本実施形態では、記録手段として、記録ヘッドからインクを吐出して記録するインクジェット記録方式を用いている。本実施形態で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００２４】
次に電気基板部４について説明する。図１４は、全体の電気基板の構成と周辺の構成を表した図である。ボトムケース３００に電源４５が取り付けてあり、その上から記録部３が取り付けてある。電源４５のインレット４５ａは外部より電源コードが取り付けられる。インレット４５ａは抜き差し時に根元に力がかかり基板から引き剥がされる力がかかるため、電源窓１４０をつけてボトムケース３００に該電源窓１４０を直接ネジ止めしている。詳しくは図１７の電源部詳細図に示すように、インレット溝４５ｂに電源窓端部１４０ａが入り、電源窓穴１４０ｂとボトムケースビス穴３００ａとがネジ止めされる。中継基板４４は、記録部３のモータのコネクタ４６ａ，４６ｂ、記録シートの位置を検出するフォトインタラプタ４７、中板３６を押し下げるカムの位置を検出するフォトインタラプタ４８が実装されており、これらをコネクタ４９からまとめて、制御基板４１と接続されている。これにより、制御基板４１との接続が集中できるため、組立が容易になる。
【００２５】
記録部３の上にはミドルフレーム２００を取り付け、ミドルフレーム２００には制御基板４１と、前述のカードスロット部５のカード基板５１がほぼ同一の高さに取り付けてある（図６、図１５参照）。制御基板４１は、装置本体の後方に取り付けてある。また、制御基板４１には、ＵＳＢコネクタ４３が実装されており、図１１の背面カバーの開口部と符合している。図６と図１５に示すように、ミドルフレーム２００の右端２００ａは基板取り付け面より高くなっている。これは、前述のインクタンク３８交換の際のカートリッジ３９の交換位置の上に当る位置であり、カートリッジ３９の上の天井を高くすることにより、操作スペースを確保したものである。また、ミドルフレーム２００の左端２００ｂは基板取り付け面と同じ高さになっている。これにより、ミドルフレーム２００の上に取り付けられる読取部２の下部に出っ張っている駆動ギア部１２２を収めるためのスペースができる。図１６は、図１５にパネル部１を取り付けた図で、前述のように、カードスロット部５のほぼ真上に配置されており、制御基板４１との接続が容易となっている。このような基板配置された状態で、図１４において、読取部２が上から収まる構成となっている。以上のような、電気基板構成にすることにより、デッドスペースがほとんどなく、効率的にかつ、使いやすいレイアウトにできている。
【００２６】
次に本画像読取記録装置のオペレーションの一例について説明する。図１のパネル部１のキーを操作することにより、動作させる。たとえば、コピーを行うときの操作について図３を用いて説明する。まずパネル部１の一方端部を形成している電源キー１２ｆを押す。次に、機能キー１２ｃでコピーキーを選択する。そして、メニューキー１２ｄで、画質、記録させるメディア等を選択し、キー１２ｃの矢印キーでコピー枚数を設定する。そして、キー１２ｂのカラー選択キーでカラーコピーか、白黒コピーかを選択する。その後、圧板２１を開けて、コピーしたい原稿をガラス２３上にセットする。そして、記録シートを記録シートトレイ３２にセットし、最後にパネル部１の他方端部を形成しているスタートキー１２ｅを押すと、コピー出来る。
【００２７】
このように、パネル部１のキーは、操作する順番に左から右に操作することにより、すべての操作が抜けなく、自然に行うことが出来るように配置されている。操作方法の例として、コピーを行うときの操作を例示して説明したが、最初の機能キー１２ｃで、スキャンを選択すると、ＵＳＢコネクタ４３を通じて接続されているパーソナルコンピュータ等からのスキャンをさせることができる。また、写真を選択すると、前述のカードスロット部５に挿入されているメディア内の画像を直接記録部３に記録させることができる。なお、本実施形態ではパネル部１の左から右への操作で説明したが、逆でも同様であることは言うまでもない。
【００２８】
上述したように、本実施形態によれば、パネル部１のキーのうち、頻繁に使うキー（電源キー、スタートキー）がパネル部の端部を形成することにより、キー面積が大きくとれ、キーが押しやすくなる。また、電源立ち上げからスタートまでのキー操作を片側から反対側へ一連の操作でできるようにすることにより、飛躍的に使い勝手が向上する。
【００２９】
〔他の実施形態〕
前述した実施形態では、異なる色のインクで記録する複数個の記録ヘッドを用いる画像記録部の場合を例示して説明したが、本発明はこれに限定されるものではなく、例えば１個の記録ヘッドを用いるモノクロ記録用の画像記録部、或いは同一色彩で濃度の異なるインクで記録する複数の記録ヘッドを用いる階調記録用の画像記録部など、記録ヘッドの数に関係なく同様に適用ができ、同様の作用効果を達成し得るものである。
【００３０】
更に記録手段（記録ヘッド）としては、前述した実施形態のように記録ヘッドとインクタンクを別体としこれらをインク供給チューブで接続する構成のもの他に、記録ヘッドとインクタンクを一体化したカートリッジタイプのものなど、記録手段及びインクタンクの構成がどのようなものであっても、同様に適用することができ、同様の効果を達成し得るものである。
【００３１】
また、記録装置が記録できる記録媒体の最大幅に対応した長さを有するフルラインタイプの記録ヘッドに対しても、本発明は有効に適用できる。そのような記録ヘッドとしては、複数記録ヘッドの組合せによって、その長さを満たす構成や、一体的に形成された１個の記録ヘッドとしての構成のいずれでも良い。加えて、前述した実施形態のようなシリアルタイプのものでも、装置本体に固定された記録ヘッド、或いは装置本体に装着されることで装置本体との電気的な接続や装置本体からのインクの供給が可能になる交換自在のチップタイプの記録ヘッド、或いは記録ヘッド自体に一体的にインクタンクが設けられたカートリッジタイプの記録ヘッドを用いた場合にも本発明は有効である。
【００３２】
またキャリッジに搭載される記録ヘッドの種類ないし個数についても、例えば単色のインクに対応して１個のみが設けられたものの他、記録色や濃度を異にする複数のインクに対応して複数個数設けられるものであって良い。即ち、例えば記録装置の記録モードとしては黒色等の主流色のみの記録モードでなく、記録ヘッドを一体的に構成する複数個の組合せによるかいずれでも良いが、異なる色の複色カラー、または混色によるフルカラーの少なくとも一つを備えた記録部にも適用し得る。
【００３３】
また前述した実施形態では、記録方式としてインクジェット記録方式を例示したが、これに限定する必要はなく、他にも熱転写記録方式や感熱記録方式、更にはワイヤードット記録方式等のインパクト記録方式、或いはそれ以外の電子写真方式等の記録方式であっても適用し得る。
【００３４】
【発明の効果】
以上説明したように、本発明によれば、操作部のキーのうち、頻繁に使うキーが操作部の端部を形成することにより、キー面積が大きくとれ、キーが押しやすくなる。また、電源立ち上げからスタートまでのキー操作を片側から反対側へ一連の操作でできるようにすることにより、飛躍的に使い勝手が向上する。
【図面の簡単な説明】
【図１】本発明の実施形態に係る画像読取記録装置の斜視図
【図２】本発明の実施形態に係る画像読取記録装置の断面図
【図３】本発明の実施形態に係る画像読取記録装置のパネル部の拡大図
【図４】本発明の実施形態に係る画像読取記録装置のパネル部の断面図
【図５】本発明の実施形態に係る画像読取記録装置のパネル部の裏面図
【図６】本発明の実施形態に係る画像読取記録装置の電気基板の取り付け図
【図７】本発明の実施形態に係る画像読取記録装置の圧板を開いた状態図
【図８】本発明の実施形態に係る画像読取記録装置の画像読取部の構造図
【図９】本発明の実施形態に係る画像読取記録装置のトレイを開いた状態の外観図
【図１０】本発明の実施形態に係る画像読取記録装置のトレイを開いた状態の背面外観図
【図１１】本発明の実施形態に係る画像読取記録装置のトレイを閉じた状態の背面外観図
【図１２】本発明の実施形態に係る画像読取記録装置のカートリッジドア開いた状態の外観図
【図１３】本発明の実施形態に係る画像読取記録装置のカートリッジドアのセンサ配置図
【図１４】本発明の実施形態に係る画像読取記録装置の電気基板の配置組立図
【図１５】本発明の実施形態に係る画像読取記録装置の電気基板取り付けの平面図
【図１６】本発明の実施形態に係る画像読取記録装置の電気基板取り付けかつパネル部を取り付けた状態図
【図１７】本発明の実施形態に係る画像読取記録装置の電源部の詳細図
【図１８】従来例に係る画像読取記録装置の斜視図
【符号の説明】
１　　　　…パネル部
２　　　　…画像読取部
３　　　　…記録部
４　　　　…電気基板部
５　　　　…カードスロット部
１１　　…パネルカバー
１２　　…キー
１２ａ，１２ｂ，１２ｃ　…キー
１２ｄ　…メニューキー
１２ｅ　…スタートキー
１２ｆ　…電源キー
１３　　…ＬＣＤ窓
１４　　…ＬＣＤ
１５　　…スペーサ
１６　　…パネル基板
１７　　…電解コンデンサ
１９　　…タクトスイッチ
２１　　…圧板
２２　　…圧板白シート
２３　　…ガラス
２４　　…コンタクトセンサ（ＣＩＳ）
２５　　…軸
２６　　…タイミングベルト
２７　　…ホルダー
２８　　…モータ
２９　　…プーリ
３０　　…ＡＳＦベース
３１　　…記録シート補助トレイ
３１ａ　…ヒンジ部
３２　　…記録シートトレイ
３２ａ　…ヒンジ部
３３　　…スライダー
３４　　…給送ローラ
３５　　…分離ローラ
３６　　…中板
３７ａ　…搬送ローラ
３７ｂ　…ピンチコロ
３８ａ　…カラーインクタンク
３８ｂ　…ブラックインクタンク
３９　　…カートリッジ
４１　　…制御基板
４２　　…フォトインタラプタ
４３　　…ＵＳＢコネクタ
４４　　…中継基板
４５　　…電源
４５ａ　…インレット
４５ｂ　…インレット溝
４６ａ，４６ｂ　…コネクタ
４７　　…フォトインタラプタ
４８　　…フォトインタラプタ
４９　　…コネクタ
５１　　…カード基板
５２　　…カードコネクタ部
５３　　…イジェクトボタン
５４　　…挿入口
１００ａ　…記録シート
１２０　…スキャナフレーム
１２２　…駆動ギア部
１２３　…突き当て基準白
１２４ａ，１２４ｂ　…ヒンジ
１２５　…カバー
１３０　…排出ローラ対
１３１　…記録シート排出トレイ
１３２　…記録シート排出補助トレイ
１３３　…カートリッジドア
１３３ａ　…突起部
１３４　…ガイドシャフト
１３５　…アクチエータ
１４０　…電源窓
１４０ａ　…電源窓端部
１４０ｂ　…電源窓穴
２００　…ミドルフレーム
２００ａ　…右端
２００ｂ　…左端
３００　…ボトムケース
３００ａ　…ボトムケースビス穴
【図１】
2004082477.tif 000003
【図２】
2004082477.tif 000004
【図３】
2004082477.tif 000005
【図４】
2004082477.tif 000006
【図５】
2004082477.tif 000007
【図６】
2004082477.tif 000008
【図７】
2004082477.tif 000009
【図８】
2004082477.tif 000010
【図９】
2004082477.tif 000011
【図１０】
2004082477.tif 000012
【図１１】
2004082477.tif 000013
【図１２】
2004082477.tif 000014
【図１３】
2004082477.tif 000015
【図１４】
2004082477.tif 000016
【図１５】
2004082477.tif 000017
【図１６】
2004082477.tif 000018
【図１７】
2004082477.tif 000019
【図１８】
2004082477.tif 000020